(57)【要約】層状符合化フォーマットを有する記憶媒体からリアルタイムデータをストリーミングするための方法及び装置を提供する。その方法は、少なくとも２つのデータストリームを開始するコマンドを１つ又はそれ以上のアプリケーションから受信し、要求解像度を指示する段階と、前記記憶媒体において利用可能である符合化フォーマットに関する情報及びデータ読み出し装置により支援された最大読み出しデータレートに関する情報を検索する段階と、前記の検索された符合化フォーマット情報と、前記の受信されたコマンドとに基づいて各々のデータストリームに対して圧縮フォーマットを選択する段階であって、それ故、データストリームの合計が前記最大読み出しデータレートを上回らない、段階と、前記データ読み出し装置に前記の選択された圧縮フォーマットに対応するストリーミング要求を送信する段階と、を有する。【特許請求の範囲】
【請求項１】
層状符合化フォーマットを有する記憶媒体からリアルタイムデータをストリーミングするための装置であって：
選択手段；
データ読み出し手段；
少なくとも２つのデータストリームを開始し、要求解像度を指示するコマンドを１つ又はそれ以上のアプリケーションから受信するために、前記データ読み出し装置により支援される最大読み出しレートに関する情報及び前記記憶媒体において利用可能な符合化フォーマットに関する情報を検索するために、データストリームの合計が前記最大読み出しデータレートを上回らないように、前記の受信された開始コマンドと前記の検索された符合化フォーマット情報とに基づいて各々のデータストリームに対して圧縮フォーマットを選択するために、及び、前記の選択された圧縮フォーマットに対応するストリーミング要求を送信するために、備えられている選択手段；並びに
前記選択手段から前記ストリーミング要求を受信するために、前記記憶媒体からデータを読み出すために、及び前記要求に従って対応するデータストリームを出力するために、備えられているデータ読み出し装置；
を有することを特徴とする記憶媒体からリアルタイムデータをストリーミングするための装置。
【請求項２】
請求項１に記載の記憶媒体からリアルタイムデータをストリーミングするための装置であって：
前記選択手段は前記アプリケーションの所定の優先順位情報にアクセスするために備えられ、前記所定の優先順位情報に更に従って前記圧縮フォーマットを選択する；
ことを特徴とする記憶媒体からリアルタイムデータをストリーミングするための装置。
【請求項３】
請求項１に記載の記憶媒体からリアルタイムデータをストリーミングするための装置であって：
前記選択手段は優先順位のレベルを指示する前記開始コマンドの各々により担持されたタグを解釈するために備えられ、前記の優先順位のレベルに更に従って、前記圧縮フォーマットを選択する；
ことを特徴とする記憶媒体からリアルタイムデータをストリーミングするための装置。
【請求項４】
請求項１に記載の記憶媒体からリアルタイムデータをストリーミングするための装置であって：
前記選択手段は、利用可能なシステム資源をチェックするために及び前記システム資源を更に考慮する前記圧縮フォーマットを選択するために備えられている；
ことを特徴とする記憶媒体からリアルタイムデータをストリーミングするための装置。
【請求項５】
請求項１に記載の記憶媒体からリアルタイムデータをストリーミングするための装置であって：
前記選択手段は、前記データ読み出し装置が前記の少なくとも２つのデータストリームへのアクセスの間のスイッチングを必要とする、処理時間を考慮する値により前記最大読み出しデータレートを減少させるため及び前記選択の結果を提供するために備えられている手段を有する；
ことを特徴とする記憶媒体からリアルタイムデータをストリーミングするための装置。
【請求項６】
層状符合化フォーマットを有する記憶媒体からリアルタイムデータをストリーミングするための方法であって：
少なくとも２つのデータストリームを開始するコマンドを１つ又はそれ以上のアプリケーションから受信し、要求解像度を指示する段階；
前記記憶媒体において利用可能である符合化フォーマットに関する情報及びデータ読み出し装置により支援された最大読み出しデータレートに関する情報を検索する段階；
前記の検索された符合化フォーマット情報と、前記の受信されたコマンドとに基づいて各々のデータストリームに対して圧縮フォーマットを選択する段階であって、それ故、データストリームの合計が前記最大読み出しデータレートを上回らない、段階；並びに
前記データ読み出し装置に前記の選択された圧縮フォーマットに対応するストリーミング要求を送信する段階；
を有することを特徴とする記憶媒体からリアルタイムデータをストリーミングするための方法。
【請求項７】
請求項６に記載の記憶媒体からリアルタイムデータをストリーミングするための方法であって：
前記選択は前記アプリケーションの所定の優先順位に従って実行される；
ことを特徴とする記憶媒体からリアルタイムデータをストリーミングするための方法。
【請求項８】
請求項６に記載の記憶媒体からリアルタイムデータをストリーミングするための方法であって：
前記開始コマンドの各々は優先順位のレベルを表すタグを担持し、前記選択は前記タグにより表される前記の優先順位のレベルに従って実行される；
ことを特徴とする記憶媒体からリアルタイムデータをストリーミングするための方法。
【請求項９】
請求項６に記載の記憶媒体からリアルタイムデータをストリーミングするための方法であって：
その方法は利用可能なシステム資源をチェックする段階を有し、前記選択は前記システム資源を更に考慮する；
ことを特徴とする記憶媒体からリアルタイムデータをストリーミングするための方法。
【請求項１０】
請求項６に記載の記憶媒体からリアルタイムデータをストリーミングするための方法であって：
その方法は、前記データ読み出し装置が前記の少なくとも２つのデータストリームへのアクセスの間にスイッチングし、前記選択に対する結果を提供するように、要求する処理時間を考慮する値により前記最大読み出しデータレートを減少させる段階、を有する；
ことを特徴とする記憶媒体からリアルタイムデータをストリーミングするための方法。
【発明の詳細な説明】
【技術分野】
【０００１】
本発明は、レイヤ状符合化フォーマットを有する記憶媒体からリアルタイムデータをストリーミングするための装置及び方法に関し、より詳細には、光ディスクのための多重ストリーム読み出し装置及び方法に関する。
【背景技術】
【０００２】
大量のディジタルビデオに固有のデータのために、フルモーションで高解像度のディジタル映像信号の伝送は、高精細テレビジョンの開発において重要な問題点である。特に、各々のディジタル画像フレームは、特定のシステムの表示解像度に従った画素のアレイから構成される静止画像である。結果的に、高解像度映像シーケンスに含まれる生ディジタル情報の量は大量である。伝送されなければならないデータ量を減少させるために、データを圧縮するように、圧縮スキームが使用される。種々の映像圧縮基準又はプロセスであって、例えば、ＭＰＥＧ−２、ＭＰＥＧ−４、Ｈ．２６３、Ｈ２６４等が推進されている。
【０００３】
１つのストリームにおいて種々の解像度及び／又は品質で利用可能な映像を生成するための方法が開発されてきた。それらは、大雑把に、スケーラビリティ技術と称されている。スケーラビリティを実施することができる３つの軸がある。第１の軸は、しばしば、時間スケーラビリティと呼ばれる、時間軸に関するスケーラビリティである。第２には、しばしば、信号対ノイズスケーラビリティ又は微細粒スケーラビリティと呼ばれる、品質軸に関するスケーラビリティがある。第３軸は、しばしば、空間スケーラビリティ、レイヤ状符合化又は層状圧縮と呼ばれる解像度軸（画像における画素数）である。各々のレイヤは、単一の高品質信号を生成するために結合されることができる。例えば、ベースレイヤは低品質の映像信号を与える一方、エンハンスメントレイヤは、ベースレイヤ画像をエンハンスすることができる付加情報を与える。
【０００４】
図１は、高解像度原画像をベースレイヤとエンハンスメントレイヤとに分離し、ＤＶＤ等の記憶媒体における個別のトラックにベースレイヤとエンハンスメントレイヤとを記憶する。層状符合化システムは又、画像符合化システムと呼ばれることが可能である。高解像度原画像１００は、画像を捕捉することができるビデオカメラ又は他の装置を用いて捕捉される。一連の連続原画像は、映像プログラム（例えば、テレビジョンプログラム又は映画）を生成するために捕捉される。
【０００５】
高解像度原画像１００は、エンハンスメントレイヤ生成器１０２及びベースレイヤ生成器１０４に通信される。エンハンスメントレイヤ生成器１０２は、原画像１００のエンハンスメントレイヤ部分を生成し、圧縮器１０６にエンハンスメントレイヤを通信する。エンハンスメントレイヤ生成器１０２は、高解像度原画像データとベースレイヤデータ（ベースレイヤ生成器から受信された）を比較することにより、エンハンスメントレイヤを生成する。例えば、エンハンスメントレイヤ生成器１０２は、高解像度原画像データからベースレイヤデータを減じ、これにより、画像の高解像度部分（即ち、エンハンスメントレイヤ）のみを残す。
【０００６】
ベースレイヤ生成器１０４は原画像１００のベースレイヤ部分を生成し、圧縮器１０８にベースレイヤを通信する。圧縮器１０６はエンハンスメントレイヤデータの圧縮バージョンを生成し、圧縮器１０８はベースレイヤデータの圧縮バージョンを生成する。本発明の特定の実施形態においては、圧縮器１０８は、例えば、ＭＰＥＧ−２（Ｍｏｖｉｎｇ  Ｐｉｃｔｕｒｅ  Ｅｘｐｅｒｔ  Ｇｒｏｕｐ）圧縮アルゴリズムを用いてベースレイヤデータを圧縮する。同様に、圧縮器１０６は、ＭＰＥＧ−２圧縮アルゴリズムを用いて、エンハンスメントレイヤを圧縮することが可能である。しかしながら、圧縮器１０６は、圧縮器１０８と同じ圧縮アルゴリズムを用いるように要求されない。例えば、圧縮器１０６は、エンハンスメントレイヤ情報等を圧縮するように、３次元ウェーブレットを利用する圧縮アルゴリズムを用いることが可能である。
【０００７】
圧縮されたベールレイヤは、記憶媒体１１０の第１データ記憶トラック１１２に記憶される。データ記憶トラックは、リアルタイムに順に読み出されることができる記憶媒体における多重セクタの集まりである。例えば、光ディスクにおけるデータ記憶トラックは、ディスクが回転するとき、読み出される一般的に円形のパターンに記憶された連続的な一連のデータ要素であることが可能である。代替として、ディスクのデータ記憶トラックは、ディスクに亘って散乱された多重セクタにおいて、ベースレイヤデータをインターリーブされたエンハンスメントレイヤのような、２つのインターリーブされたデータストリームを記憶することが可能である。
【０００８】
圧縮されたエンハンスメントレイヤは、記憶媒体１１０の第２データ記憶トラック１１４に記憶される。この例においては、記憶媒体１１０はＤＶＤである。第１データ記憶トラック１１２及び第２データ記憶トラック１１４は、ＤＶＤの同じ物理レイヤに位置付けられることが可能である、又は、ＤＶＤ（ＤＶＤは、各々の側に２つの物理レイヤを有する２つの側を有することができる）の異なる物理レイヤに位置付けられることが可能である。
【０００９】
圧縮器１０６及び１０８は、データを記憶するように必要とされる記憶空間を減少させるためにエンハンスメントレイヤデータとベースレイヤデータとを圧縮する。エンハンスメントレイヤ及び／又はベースレイヤが圧縮を必要としない（即ち、記憶媒体１１０が、データの圧縮を用いることなく、十分な記憶空間を有する）場合、圧縮器１０６及び／又は１０８は、図１に示すシステムから削除される。
【００１０】
上記の方法で生成された層状符合化フォーマットは、異なる映像基準又は復号化能力間における互換性を提供することができる。層状符合化を用いると、ベースレイヤ映像は入力映像シーケンスより低い解像度を有することが可能である。その場合、エンハンスメントレイヤは入力シーケンスレベルに対してベースレイヤの解像度を回復することができる情報を担持することができる。
【００１１】
多重化データストリームを同時に要求する、種々のアプリケーションが周知であり、将来、更に重要になるであろう。それらには、例えば、次のようなものがある。
−  第２映像／ピクチャが、フルスクリーンフォーマットにおいて表示される第１映像／ピクチャを部分的に重ね合わせる小さいウィンドウに示されるＰＩＰ（Ｐｉｃｔｕｒｅ−Ｉｎ−Ｐｉｃｔｕｒｅ）アプリケーション。例えば、これらのアプリケーションは、異なる角度から同じシーンのショット又は監督がコメントしている映像を同時に見ることを可能にする。
−  複数の映像が所定のスクリーンの隣接領域に同時に表示される、分割スクリーンモード。
−  例えば、インタラクティブアプリケーションが主モードに重ね合わされる、重ね合わせモード。
【００１２】
例えば、ＤＶＤフォーマットは複数のカメラアングル（又は、映像アングル）を提供する。ＤＶＤに記憶されたプログラムのビューアは、デフォルトのカメラアングル又は幾つかの選択的なカメラアングルの１つを選択することが可能である。ＤＶＤ技術は複数のカメラアングルを支援するが、プログラムは、必ずしも、複数のカメラアングルを用いて記録される必要はない。複数のカメラアングルを用いて映像プログラムを記憶する場合にはコストが掛かるため、多くのプログラムは、選択的なカメラアングルを提供するＤＶＤトラックを利用していない。
【００１３】
しかしながら、全ての周知の記憶媒体は読み出し帯域のみを制限する。例えば、ＢＤ＝ＲＯＭにおいては、仕様において未だに固定されなかった、支援される最大読み出しデータレートは、単一の速度の読み出しにおいて５４Ｍｂｉｔ／ｓｅｃを選択されることが予想される。一般に、そのような比較的小さい読み出しレートに対する理由は、可搬型システムに対するコストファクタ（より安価な構成要素）及び電力の考慮にある。他方、高解像度品質の映像ストリームは、４０Ｍｂｉｔ／ｓｅｃ以下のビットレートを有すると予想される。それ故、１つ又はそれ以上のアプリケーションが最大読み出しデータレートにおけるデータストリームを要求する場合、２つのビデオストリーム以上の同時読み出しは明らかに支援されることはない。更に一般的には、記録媒体は最大読み出しデータレートを有し、ストリーミングビットレートにおいて読み出されるストリーミングデータを有しそれにより、条件Ｘ＜Ｙが満足されなければならない。しかしながら、多重ストリームは同時に読み出される必要があり、このことは、ｎＸ＞Ｙを満足されることができない。
【発明の開示】
【発明が解決しようとする課題】
【００１４】
本発明の目的は、それ故、上記の制限を克服するために、記憶媒体からリアルタイムデータをストリーミングするための装置及び方法を提供することである。
【課題を解決するための手段】
【００１５】
本発明の第１の特徴に従って、この目的は、選択手段とデータ読み出し装置とを有する、冒頭の段落で説明した装置により達成され、その選択手段は、少なくとも２つのデータストリームを開始し、要求解像度を指示するコマンドを１つ又はそれ以上のアプリケーションから受信するために、前記データ読み出し装置により支援される最大読み出しレートに関する情報及び前記記憶媒体において利用可能な符合化フォーマットに関する情報を検索するために、データストリームの合計が前記最大読み出しデータレートを上回らないように、前記の受信された開始コマンドと前記の検索された符合化フォーマット情報とに基づいて各々のデータストリームに対して圧縮フォーマットを選択するために、及び、前記の選択された圧縮フォーマットに対応するストリーミング要求を送信するために、備えられていて、並びに、データ読み出し装置は、前記選択手段から前記ストリーミング要求を受信するために、前記記憶媒体からデータを読み出すために、及び前記要求に従って対応するデータストリームを出力するために、備えられている。
【００１６】
第１の特徴の更なる進展を有する本発明の第２の特徴に従って、前記選択手段は、前記アプリケーションの所定の優先順位情報にアクセスするために備えられ、前記所定の優先順位情報に更に従って前記圧縮フォーマットを選択する。
【００１７】
第１の特徴の更なる進展を有する本発明の第３の特徴に従って、前記選択手段は、優先順位のレベルを示す前記開始コマンドの各々により担持されたタグを解釈するために備えられ、前記の優先順位のレベルに更に従って、前記圧縮フォーマットを選択する。
【００１８】
第１乃至第３の特徴いずれの特徴の更なる進展を有する本発明の第４の特徴に従って、前記選択手段は、利用可能なシステム資源をチェックするために及び前記システム資源を更に考慮する前記圧縮フォーマットを選択するために備えられている。
【００１９】
第１乃至第４の特徴いずれの特徴の更なる進展を有する本発明の第５の特徴に従って、前記選択手段は、前記データ読み出し装置が前記の少なくとも２つのデータストリームへのアクセスの間のスイッチングを必要とする、処理時間を考慮する値により前記最大読み出しデータレートを減少させるため及び前記選択の結果を提供するに備えられている手段を有する。
【００２０】
本発明の第６の特徴に従って、上記目的は、冒頭の段落において説明したような方法にであって：少なくとも２つのデータストリームを開始するコマンドを１つ又はそれ以上のアプリケーションから受信し、要求解像度を示す段階と、前記記憶媒体において利用可能である符合化フォーマットに関する情報及びデータ読み出し装置により支援された最大読み出しデータレートに関する情報を検索する段階と、前記の検索された符合化フォーマット情報と前記の受信されたコマンドとに基づいて各々のデータストリームに対して圧縮フォーマットを選択する段階であって、それ故、データストリームの合計が前記最大読み出しデータレートを上回らない、段階と、前記データ読み出し装置に前記の選択された圧縮フォーマットに対応するストリーミング要求を送信する段階と、を有する、冒頭の段落において説明したような方法により更に達成される。
【００２１】
第６の特徴の更なる進展を有する本発明の第７の特徴に従って、前記選択は前記アプリケーションの所定の優先順位に従って実行される。
【００２２】
第６の特徴の更なる進展を有する本発明の第８の特徴に従って、前記開始コマンドの各々は優先順位のレベルを表すタグを担持し、前記選択は前記タグにより表される前記の優先順位のレベルに従って実行される。
【００２３】
第６乃至第８の特徴のいずれの特徴の更なる進展を有する本発明の第９の特徴に従って、方法は利用可能なシステム資源をチェックする段階を有し、前記選択は前記システム資源を更に考慮する。
【００２４】
第６乃至第９の特徴のいずれの特徴の更なる進展を有する本発明の第１０の特徴に従って、方法は、前記データ読み出し装置が前記の少なくとも２つのデータストリームへのアクセスの間にスイッチングし、前記選択に対する結果を提供するように要求する処理時間を考慮する値により前記最大読み出しデータレートを減少させる段階と、を有する。  
各々のコマンドは、関連するデータストリームＸに対応する解像度又は要求品質を、直接的に又は比直接的に示す必要がある。例えば、それらコマンドは、どのアプリケーションからコマンドが受信されたかを表すタグを有することが可能である。この情報は、次いで、例えば、次のように変換されることが可能である。
−  フルスクリーン表示は高品質に等しい（例えば、最大ビットレートＸＨＤ＝４０Ｍｂｉｔ／ｓｅｃにおけるＨＤ）。
−  ＰＩＰは低品質に等しい（例えば、最大ビットレートＸＣＩＦ＝４０Ｍｂｉｔ／ｓｅｃ及び平均ビットレート１乃至２Ｍｂｉｔ／ｓｅｃにおけるＣＩＦ）。
−  多くのストリームのモザイクは低品質に等しい。
−  分割スクリーンは中間品質に等しい（例えば、最大ビットレートＸｍｅｄ＝１０Ｍｂｉｔ／ｓｅｃ及び平均ビットレート４．５Ｍｂｉｔ／ｓｅｃにおける基準品質）。
−  オーバーレイモードは低品質に等しい。
【００２５】
多くの場合、要求データストリームの連続的加算は、最大読み出しデータレートＹ以下の合計を得るためには既に十分であり得る。例えば、単一ストリームの通常の映像再生（第１アプリケーション）の間に、上記のビットレートを仮定すると、例えば、ディスクのエンハンスメントレイヤ及びベースレイヤを読み出すことにより、ＸＨＤ＝（最大）４０Ｍｂｉｔ／ｓｅｃで最高品質が視聴される。両方のストリームの合計は１１Ｍｂｉｔ／ｓｅｃを上回らない。Ｙ＝５４Ｍｂｉｔ／ｓｅｃにおいてデータを供給する１ｘＢＤ−ＲＯＭ装置は、それ故、適切な読み出し装置である。この場合、選択手段は、要求データストリームの合計がＹを上回らないこと、それ故、オリジナルの要求解像度に対応するアシュクフォーマットを選択する必要があることを見つける。
【００２６】
この点に関して、１つ又はそれ以上のアプリケーションに対して要求されたデータが記憶される記憶媒体における異なる位置の間でジャンプする又はスイッチングすることによる処理時間（オーバーヘッド）は、有効な値Ｙｅｆｆ＜Ｙまで利用可能な最大読み出しデータレートを減少させる。これは、前記最大読み出しデータレートを自動的に減少させることにより考慮される。例えば、各々のアクセスストリームに対して、即ち、各々のアプリケーションに対して固定値を減算することができる。そのように補正された読み出しデータレートＹｃｏｒｒ≦Ｙｅｆｆは、それ故、適切な圧縮フォーマットの選択のための決定的（限定的）ファクタである。
【００２７】
データストリームの合計がＹより大きいそれらの状況に対しては、真の要求の競争がある。それ故、装置は、より小さいデータレートで、それ故、要求されるより、より低い品質／解像度で機能するように要求される決定がなされる必要がある。１つのオプションは、ランダム選択を実行することである。好適には、選択の次数が提供される。本発明の第２及び第６特徴それぞれに従って、この目的のために、所定の優先順位の情報が提供される。この優先順位情報は、どのアプリケーションから個何度が受信されたかを表すタグと関連付けられることが可能である。それは、装置の一部であるルックアップテーブル等に記憶されることができる。選択手段は、タグ値を単純に入力することにより、この情報にアクセスする。本発明の第３及び第７の特徴それぞれに従った更に高度な実施形態においては、各々の開始コマンドは優先順位のレベルを直接表すタグを担持することが可能である。これは、優先順位が、所定の方式でアプリケーションに割り当てられることではなく、特定要求に適合することができる優位点を有している。
【００２８】
例えば、フルスクリーン表示アプリケーションは、その品質が最後に犠牲にされなければならない故に、最高の優先順位を有するように表され（又は、予め設定されることが可能である）一方、ＰＩＰアプリケーション又はオーバーレイモードのアプリケーションは、選択手段が最初にこのアプリケーションの解像度を減少させるようにする最低の優先順位を有することを、表す（又は、予め設定されることが可能である）ことが可能である。所定の優先順位情報及び表された優先順位のレベルの両方は又、スクリーンモードアプリケーションを分割するために適用可能である。この場合、２つ又はそれ以上のアプリケーションは、選択手段が解像度を等しく減少させるような同じ優先順位を有することを示す（又は、予め設定されることが可能である）ことが可能である。
【００２９】
１つ又はそれ以上の映像ストリームのビットレートは、装置が適切な圧縮フォーマット／解像度を自動的に選択するように、アプリケーションによるディスク資源の瞬時の使用に依存して、動的に適合されることができる。このようにして、画像品質は、常に、有効な最高レベルで提供されることができる。画像品質の損失は、高トラヒックの状況に対して、即ち、ｎＸ＞Ｙのときに、一時的に限定される。
【００３０】
映像が、最高解像度のエンハンスメントレイヤ以外の特定のレイヤにより（例えば、ベースレイヤ又はエンハンスされたレイヤの１つにより）支援されたものと等しいか又はそれより低い解像度を有するスクリーンに戻って再生される場合、本発明の更に好適な実施形態に従って、装置は利用可能なシステム解像度をチェックすることができる。それ故、適切な解像度を提供するそれらの圧縮フォーマットのみが選択される方法で、結果が考慮される。それにより、より小さい読み出しデータレートで占められ、より小さい電力、スピンドル速度（ノイズファクタ）等の資源について請求する。残りのバッテリ電力、処理器速度等のような他のシステム資源について、同様に考慮されることができる。
【００３１】
本発明の上記の及び他の目的、特徴及び有利性については、添付図面を参照して、以下好適な実施形態を説明することにより明らかになるであろう。
【発明を実施するための最良の形態】
【００３２】
図２に示す光ディスク２００のデータ領域２１０のトラックは、異なる圧縮フォーマットを有する２つのレイヤ、即ち、ベースレイヤ２１４及びエンハンスドレイヤ２１６を有する。これらのレイヤは交互の順序で配置されている。ジャンプによりもたらされるオーバーヘッドのために、最終的に帯域を得るようにストリームのスキップ部分が帯域における損失をもたらさないように、層状ストリームの種々の層に関連するデータが構成されることが確実にされる必要がある。これを回避するための手段の例は次のようである。
１．  図２及び図３に示すような、連続ブロックにおける１つの層に属すデータを構成する。ブロックが大きくなるにつれ、ペナルティは少なくなるが、装置の応答速度及びメモリバッファ要求のような他の性能を犠牲にする。最適条件が見つけられる必要がある。
２．  ディスクのアイドルフル回転を要することなく、再生ヘッドのブロックに亘るジャンプがなされるように、連続ブロックが整数ディスク回転分だけカバーすることを確実にする。
【００３３】
本発明は、上記の好適な実施形態及び例に限定されるものではない。例えば、次のような、他の符合化のオプションが適用されることが可能である。
１．  Ｘｍａｘ＝１０Ｍｂｉｔ／ｓｅｃ、Ｘａｖ＝４．５Ｍｂｉｔ／ｓｅｃにおける標準精細ＭＰＥＧ２データ（ＤＶＤ品質）を有する１つのベースレイヤ、及び、ベースレイヤとの組み合わせにおいてＸｍａｘ＝２４Ｍｂｉｔ／ｓｅｃで高精細データを結果的に得る、１つのＭＰＥＧ２エンハンスメントレイヤ。
２．  Ｘｍａｘ＝１０Ｍｂｉｔ／ｓｅｃ、Ｘａｖ＝４．５Ｍｂｉｔ／ｓｅｃにおける標準精細ＭＰＥＧ２データ（ＤＶＤ品質）を有する１つのベースレイヤ、及び、同じビットレートを用いて高品質の映像を可能にし、又は最大ビットレートを減少させる更に高度な復号化器データ（例えば、Ｈ２６４）を有するエンハンスメントレイヤ（特に、オリンピック等の公開された編集におけるような６０Ｈｚでインターレースされたスポーツに対して）。
３．  上記の例の１つに従った１つのベースレイヤ及び第１エンハンスメントレイヤであって、第２エンハンスメントレイヤは、最高品質の高精細映像をエンハンスするために２４Ｍｂｉｔ／ｓｅｃ以上で更なるデータを有する。
４．  Ｘｍａｘ＝４Ｍｂｉｔ／ｓｅｃ、Ｘａｖ＝１乃至２Ｍｂｉｔ／ｓｅｃでＣＩＦ品質のＭＰＥＧ２データを有する１つのベースレイヤ、及び第１の例に従った第１エンハンスメントレイヤ及び第２エンハンスメントレイヤ。
５．  又、より中間のレイヤを加えることができる。
６．  全てのレイヤ（ベースレイヤを含む）は、Ｈ２６４のような新規な符合化技術に基づくことができる。
【００３４】
更に、本発明は、ＤＶＤ又はＢＤのような特定の光システムに限定されないが、ランダムアクセス特性及びデータレート制限を有する記憶媒体全てに関連する。本発明は又、ハードディスクドライブ、光磁気ディスクシステム、フラッシュメモリ等を有する。ビットレートは、上記の本発明の実施形態及び例において説明されたビットレートに限定されるものではない。上記の例は、１ｘ読み出し装置に限定された。しかしながら、最大読み出しデータレートは２つのファクタであって、システム基準（ＣＤ、ＤＶＤ、ＢＤ等）で規定された単一速度（１ｘ）における最大データレート及び複数の単一速度レート（例えば、２ｘ、４ｘ、８ｘ等）に依存する。それ故、ドライブが高読み出しデータレート（例えば、２ｘバージョンであるため）を支援する場合、このレートは自動的に計算される。
【図面の簡単な説明】
【００３５】
【図１】先行技術の層状圧縮フォーマット符合化システムの状態の例を示す図である。
【図２】層状ディスクの第１の例の模式図である。
【図３】層状ディスクの第２の例の模式図である。
【図１】
2006500718.tif 000002
【図２】
2006500718.tif 000003
【図３】
2006500718.tif 000004
【国際調査報告】
2006500718.tif 000005
2006500718.tif 000006